(57)【要約】【課題】原稿画像の画像データに非可逆圧縮をして一時的に保存し、保存された画像データを後で伸張する画像処理装置において、画像データを非可逆圧縮しても画質の劣化を低減できると共に、伸張後の画像データを用いる際にモスキートノイズを強調させずに、画像データを多様に利用できるようにする。【解決手段】原稿読取手段によって読み取られた原稿画像の画像データに対して、当該読み取りにおけるＭＴＦ特性を完全に補償する補償処理を行なう画像復元手段と、当該画像復元手段により、前記ＭＴＦ特性が完全に補償された前記画像データに非可逆圧縮をする圧縮手段と、前記圧縮手段により非可逆圧縮がされた前記画像データを保存する保存手段と、前記保存手段により保存された、前記圧縮手段により非可逆圧縮がされた前記画像データを伸張する圧縮データ伸張手段とを備える画像処理装置とする。【選択図】図２
2008187644.tif 000002
【特許請求の範囲】
【請求項１】
原稿読取手段によって読み取られた原稿画像の画像データに対して、当該読み取りにおけるＭＴＦ特性を完全に補償する補償処理を行なう画像復元手段と、
当該画像復元手段により、前記ＭＴＦ特性が完全に補償された前記画像データに非可逆圧縮をする圧縮手段と、
前記圧縮手段により非可逆圧縮がされた前記画像データを保存する保存手段と、
前記保存手段により保存された、前記圧縮手段により非可逆圧縮がされた前記画像データを伸張する圧縮データ伸張手段とを備える画像処理装置。
【請求項２】
前記圧縮データ伸張手段により伸張された前記画像データに対して、前記ＭＴＦ特性が完全には補償されていない予め定められた目標補償状態へ当該画像データを変換する画像処理を施す画像処理手段を備える請求項１記載の画像処理装置。
【請求項３】
前記圧縮手段により非可逆圧縮がされる前の前記画像データに基づいて、当該画像データが示す前記原稿画像における予め定められた特徴を備える特徴領域を識別する識別信号を生成する分離領域識別信号生成手段と、
前記分離領域識別信号生成手段により生成された前記識別信号を可逆圧縮する第二の圧縮手段と、
前記第二の圧縮手段によって圧縮された前記識別信号を保存する第二の保存手段と、
前記第二の保存手段により保存された前記識別信号を伸張する圧縮信号伸張手段とを備える請求項１記載の画像処理装置。
【請求項４】
前記圧縮信号伸張手段によって伸張された前記識別信号に基づいて、前記圧縮データ伸張手段により伸張された前記画像データに対して、当該画像データが表す画像の、前記識別信号により示される前記特徴領域への画像処理を行なう特徴領域処理手段を備える請求項３記載の画像処理装置。
【請求項５】
前記特徴領域は、網点の領域であり、
前記特徴領域処理手段は、前記圧縮データ伸張手段により伸張された前記画像データが表す前記原稿画像の、前記識別信号により示される網点の領域を平滑化させる平滑化処理を当該画像データに施す請求項４記載の画像処理装置。
【請求項６】
前記特徴領域は、文字領域であり、
前記特徴領域処理手段は、前記圧縮データ伸張手段によって伸張された前記画像データが表す前記原稿画像の、前記識別信号により示される文字領域を強調する文字強調処理を当該画像データに施す請求項４記載の画像処理装置。
【請求項７】
前記分離領域識別信号生成手段は、前記画像復元手段により前記ＭＴＦ特性が完全に補償される前の前記画像データに基づいて前記識別信号を生成する請求項３〜６のいずれかに記載の画像処理装置。
【請求項８】
前記分離領域識別信号生成手段は、前記画像復元手段によって前記ＭＴＦ特性が完全に補償された後の前記画像データに基づいて前記識別信号を生成する請求項３〜６のいずれかに記載の画像処理装置。
【請求項９】
原稿読取手段によって読み取られた原稿画像の画像データに対して、当該読み取りにおけるＭＴＦ特性を完全に補償する補償処理を行なう画像復元手段と、
当該画像復元手段により、前記ＭＴＦ特性が完全に補償された前記画像データに非可逆圧縮をする圧縮手段と、
前記圧縮手段により非可逆圧縮がされた前記画像データを保存する保存手段と、
前記保存手段により保存された、前記圧縮手段により非可逆圧縮がされた前記画像データを伸張する圧縮データ伸張手段としてコンピュータを機能させるためのコンピュータプログラム。
【発明の詳細な説明】
【技術分野】
【０００１】
本発明は、原稿画像の画像データに非可逆圧縮を行ない、非可逆圧縮がされた前記画像データを保存する画像処理装置、およびコンピュータプログラムに関する。
【背景技術】
【０００２】
従来から、スキャナ等が原稿用面に表された原稿画像を読み取ることで生成した、原稿画像の画像データを処理する画像処理装置が用いられており、かかる画像処理装置としては、たとえば、スキャナ自身や、スキャナによって読み取られた原稿画像の画像データを処理する複写機などがある。
【０００３】
特許文献１では、かかる画像処理装置として、画像データに非可逆圧縮、たとえばＪＰＥＧ（Joint Photographic Experts Group）の圧縮などを施し、かかる非可逆圧縮を施すことによりデータサイズが低減された画像データを、ハードディスク等の記憶部に一時的に保存しておいて、後から、保存されていた画像データを伸張して用いるものが示されている。
【０００４】
ここで、スキャナ等により得られた原稿画像の画像データは、スキャナ等による読み取りの特性により、必ずしも、正確にもともと原稿に現われていた原稿画像そのものをそのまま示すものとはならず、たとえば網点や、エッジなどでは濃度変化が本来の原稿画像のそれよりも緩やかな変化しか再現されないなど、急な濃度変化を示す成分、つまり高周波成分が減衰してしまう。ここで、このような、空間周波数ごとの濃度レベルの減衰特性のことをＭＴＦ特性（Modulation Transfer Function特性）といい、原稿にもともと現われていた原稿画像の濃度は、読み取りをしたスキャナ等のかかるＭＴＦ特性のために、画像データではズレしてしまう。
【０００５】
特許文献１では、非可逆圧縮をして保存する前の画像データにＬＯＧ変換（Laplassian Of Gaussian変換）をするものとしており、このＬＯＧ変換をすれば、画像データの高周波成分を増幅して、高周波成分を強調してやることができる。このため、特許文献１の技術を用いれば、適切にこのＬＯＧ変換をすることにより、もともと原稿に現われていた画像へと、画像データの示す画像を近づけることができる。
【０００６】
他方、かかる画像データの高周波成分は、保存されていた画像データを伸張して用いるときに、画像データにエッジ強調や網点の強調をする際にも増幅される。
【特許文献１】特開２００４−２８２２４０号公報
【発明の開示】
【発明が解決しようとする課題】
【０００７】
しかしながら、従来の特許文献１記載の技術では、伸張した画像データを用いて行なわれる印刷の設定に合わせてＬＯＧ変換をして高周波成分を強調しているので、この処理では、上述したＭＴＦ特性による濃度のズレが中途半端に補償されるに過ぎなかった。
【０００８】
このため、このように不十分にしかＭＴＦ特性の補償がされず、高周波成分も不十分にしか強調されていない画像データに対して非可逆圧縮がされ、非可逆圧縮でデータサイズが削減されると、高周波成分が更に損なわれる。
【０００９】
しかも、非可逆圧縮を行なうと、画像データにモスキートノイズが混入してしまうので、ひとたび非可逆圧縮をした後、画像データを伸張した際には、ＭＴＦ特性の補償度合いを後から高めてやることにより、主に高周波成分よりなるこのモスキートノイズまで強調してしまうこととなる。
【００１０】
本発明は、上記した点に鑑みてなされたものであり、原稿画像の画像データに非可逆圧縮をして一時的に保存し、保存された画像データを後で伸張する画像処理装置において、画像データを非可逆圧縮しても画質の劣化を低減できると共に、伸張後の画像データを用いる際にモスキートノイズを強調させずに、画像データを多様に利用できるようにすることを目的とする。
【課題を解決するための手段】
【００１１】
請求項１記載の発明は、原稿読取手段によって読み取られた原稿画像の画像データに対して、当該読み取りにおけるＭＴＦ特性を完全に補償する補償処理を行なう画像復元手段と、当該画像復元手段により、前記ＭＴＦ特性が完全に補償された前記画像データに非可逆圧縮をする圧縮手段と、前記圧縮手段により非可逆圧縮がされた前記画像データを保存する保存手段と、前記保存手段により保存された、前記圧縮手段により非可逆圧縮がされた前記画像データを伸張する圧縮データ伸張手段とを備える画像処理装置である。
【００１２】
そして、請求項９記載の発明は、原稿読取手段によって読み取られた原稿画像の画像データに対して、当該読み取りにおけるＭＴＦ特性を完全に補償する補償処理を行なう画像復元手段と、当該画像復元手段により、前記ＭＴＦ特性が完全に補償された前記画像データに非可逆圧縮をする圧縮手段と、前記圧縮手段により非可逆圧縮がされた前記画像データを保存する保存手段と、前記保存手段により保存された、前記圧縮手段により非可逆圧縮がされた前記画像データを伸張する圧縮データ伸張手段としてコンピュータを機能させるためのコンピュータプログラムである。
【００１３】
これらの構成によれば、予め、画像データが非可逆圧縮される前に、完全にＭＴＦ特性の補償が画像データにされ、画像データの高周波成分が十分に強調されている。ここに、高周波成分とは、たとえば、予め定められた基準周波数よりも高い周波数の成分をいう。
【００１４】
このため、画像データが非可逆圧縮されるときに、非可逆圧縮による高周波成分の損失が少なくなるようにでき、保存される画像の画質が低くなることを抑制し、伸張後に高い画質の画像を用いることができる。
【００１５】
しかも、このように、予め非可逆圧縮がされる前にＭＴＦ特性が完全に補償されて、十分に高周波成分が強調されていることで、画像データにモスキートノイズが混入した後、つまり、画像データを伸張した後において、後から更に高周波成分を強調してやる必要が少なくなり、つまり、エッジや網点の強調などで高周波成分を強調する度合いを小さくでき、そもそもエッジの強調等をしなくてよくなったり、高周波成分を強調してモスキートノイズを強調してしまうことを少ないようにできる。
【００１６】
そして、こうして完全な補償が非可逆圧縮前にされていることによって、保存された画像データを多様な用途において用いることができる。
【００１７】
なお、「画像処理装置」は、ハードディスクやＲＡＭなどの記憶部を備え、請求項１記載の発明における保存手段は、この記憶部に画像データを保存するものとしてもよい。また、「コンピュータ」も、ハードディスクやＲＡＭなどの記憶部を備え、請求項２記載の発明における保存手段は、この記憶部に画像データを保存するものとしてもよい。
【００１８】
請求項２記載の発明は、前記圧縮データ伸張手段により伸張された前記画像データに対して、前記ＭＴＦ特性が完全には補償されていない予め定められた目標補償状態へ当該画像データを変換する画像処理を施す画像処理手段を備える請求項１記載の画像処理装置である。
【００１９】
この構成によれば、保存された画像データを伸張した後に、たとえば６０％や７０の補償度合いなど、ＭＴＦ特性が完全には補償されていない目標補償状態まで補償の度合いを下げることができ、低い補償度合いの画像データを用いることができる。
【００２０】
請求項３記載の発明は、前記圧縮手段により非可逆圧縮がされる前の前記画像データに基づいて、当該画像データが示す前記原稿画像における予め定められた特徴を備える特徴領域を識別する識別信号を生成する分離領域識別信号生成手段と、前記分離領域識別信号生成手段により生成された前記識別信号を可逆圧縮する第二の圧縮手段と、前記第二の圧縮手段によって圧縮された前記識別信号を保存する第二の保存手段と、前記第二の保存手段により保存された前記識別信号を伸張する圧縮信号伸張手段とを備える請求項１記載の画像処理装置である。
【００２１】
この構成であれば、非可逆圧縮される前の画像データに基づいて、特徴領域を正確に識別する識別信号を生成し、生成される正確に特徴領域を識別する識別信号を保存することができる。これにより、圧縮信号伸張手段により識別信号が伸張された後に、伸張された後の識別信号により識別される正確な特徴領域に基づいて処理を行なうことができる。
【００２２】
なお、この第二の保存手段は、当該画像形成装置の備えるハードディスクやＲＡＭなどの記憶部に画像データを保存するものとしてもよい。
【００２３】
請求項４記載の発明は、前記圧縮信号伸張手段によって伸張された前記識別信号に基づいて、前記圧縮データ伸張手段により伸張された前記画像データに対して、当該画像データが表す画像の、前記識別信号により示される前記特徴領域への画像処理を行なう特徴領域処理手段を備える請求項３記載の画像処理装置である。
【００２４】
この構成であれば、圧縮データ伸張手段により伸張された画像データに対して、圧縮信号伸張手段によって伸張された識別信号により識別される正確な特徴領域を処理する画像処理を行なうことができる。
【００２５】
請求項５記載の発明は、前記特徴領域は、網点の領域であり、前記特徴領域処理手段は、前記圧縮データ伸張手段により伸張された前記画像データが表す前記原稿画像の、前記識別信号により示される網点の領域を平滑化させる平滑化処理を当該画像データに施す請求項４記載の画像処理装置である。
【００２６】
この構成であれば、圧縮データ伸張手段により伸張された画像データに対して、圧縮信号伸張手段によって伸張された識別信号により識別される正確な網点の領域を平滑化させる平滑化処理を行なうことができる。
【００２７】
請求項６記載の発明は、前記特徴領域は、文字領域であり、前記特徴領域処理手段は、前記圧縮データ伸張手段によって伸張された前記画像データが表す前記原稿画像の、前記識別信号により示される文字領域を強調する文字強調処理を当該画像データに施す請求項４記載の画像処理装置である。
【００２８】
この構成であれば、圧縮データ伸張手段により伸張された画像データに対して、圧縮信号伸張手段によって伸張された識別信号により識別される正確な文字領域への文字強調処理を行なうことができる。
【００２９】
請求項７記載の発明は、前記分離領域識別信号生成手段は、前記画像復元手段により前記ＭＴＦ特性が完全に補償される前の前記画像データに基づいて前記識別信号を生成する請求項３〜６のいずれかに記載の画像処理装置である。
【００３０】
この構成であれば、画像復元手段によるＭＴＦ特性の補償で改変がされる前の画像データに基づいて、改変により画像データから情報が失われること、たとえば、改変での濃度値の演算における小数点以下の四捨五入等で情報が失われることなどの影響を受けることなく、精度よく識別信号を生成することができる。
【００３１】
請求項８記載の発明は、前記分離領域識別信号生成手段は、前記画像復元手段によって前記ＭＴＦ特性が完全に補償された後の前記画像データに基づいて前記識別信号を生成する請求項３〜６のいずれかに記載の画像処理装置である。
【００３２】
この構成であれば、ＭＴＦ特性の補償により復元された画像に基づいて識別信号を生成でき、原稿に表れていた元々の原稿画像では明確であったが、復元がされる前までは不明瞭となっていた原稿画像の性質に的確に応じて、精度のよい識別信号を生成できる。
【発明の効果】
【００３３】
本発明によれば、原稿画像の画像データに非可逆圧縮をして一時的に保存し、保存された画像データを後で伸張する画像処理装置において、画像データを非可逆圧縮しても画質の劣化を低減できると共に、伸張後の画像データを用いる際にモスキートノイズを強調させずに、画像データを多様に利用することができる。
【発明を実施するための最良の形態】
【００３４】
以下、本発明の一実施形態に係る複写機１について図面を参照して説明する。
【００３５】
図１は、本発明の一実施形態に係る複写機１を概略的に示す図である。
【００３６】
複写機１は、複写を行なう原稿がセットされて、セットされた原稿の表面に表された原稿画像をＣＣＤ（Charge Coupled Device）イメージセンサ等の撮像素子によって読み取るスキャナ装置１１と、スキャナ装置１１によって読み取られた原稿画像が印刷される記録紙Ｐが搬送される搬送経路１２と、搬送経路１２の途中に設けられ、感光体ドラム等を備え、感光体ドラム等により、搬送経路１２を搬送されてきた記録紙Ｐへ、スキャナ装置１１により読み取られた原稿画像を印刷する画像形成機構１３と、これら複写機１の各構成の動作を制御する情報処理装置たる制御部１００とを備える。
【００３７】
スキャナ装置１１は、特許請求の範囲に記載した「読取手段」の一例である。
【００３８】
制御部１００は、複写機１の各部の動作を制御する情報処理装置である。制御部１００は、たとえば、ＣＰＵ、ＲＯＭ、ＲＡＭ等を備えたプログラム内蔵方式のコンピュータとして構成したり、ワイアードロジック方式（布線論理、配線論理、ないし結線論理）のコンピュータとして構成したりできる。
【００３９】
制御部１００ないし複写機１は、特許請求の範囲に記載した「画像処理装置」の一例となる。
【００４０】
図２は、制御部１００が実現する機能を示す機能ブロック図である。
【００４１】
制御部１００は、シェーディング処理部１１０と、ＭＴＦ特性補償処理部１２０と、分離領域信号生成部１２０ａと、一時保存処理部１３０と、印刷実行部１４０とを実現する。
【００４２】
そして、一時保存処理部１３０は、非可逆データ圧縮処理部１３１と、可逆データ圧縮処理部１３１ａと、復元済み画像保存部１３２と、領域信号保存部１３２ａと、非可逆データ伸張処理部１３３と、可逆データ伸張処理部１３３ａとの各機能ブロックの機能を備える。
【００４３】
また、印刷実行部１４０は、画像処理部１４２と、印刷制御部１４３との各機能ブロックの機能を備える。
【００４４】
シェーディング処理部１１０は、スキャナ装置１１によって読み取られて、この制御部１００へ入力された原稿画像に対してシェーディング補正を行なう。
【００４５】
なお、説明の便宜上から、情報処理装置における画像データの処理に一般的な記法として、以下では、電子的にＲＡＭ等の媒体に記憶されたり信号線を伝送されたりする「画像データ」と、その画像データが示す「画像」とを、画像を示す情報として同じものであるとして、同一視することがあるものとし、つまり、単に「画像」と呼ぶものも、その「画像」の情報が電子的に記憶された画像データないし画像信号を指すことがあるものとする。
【００４６】
ＭＴＦ特性補償処理部１２０は、シェーディング処理部１１０によってシェーディング補正がされた後の原稿画像に対してＭＴＦ特性補償処理を行なう。ＭＴＦ特性補償処理部１２０は、ＭＴＦ特性補償処理を行なうことにより、スキャナ装置１１の原稿画像読取時におけるＭＴＦ特性を１００％、完全に補償し、これにより、原稿画像を、スキャナ装置１１により読み取られる前の、スキャナ装置１１にセットされた原稿の表面に現れていた本来の原稿画像に復元させる。
【００４７】
図３は、ＭＴＦ特性補償処理部によるＭＴＦ特性補償処理を示す図である。図３
（Ａ）には、従来例での技術を対比的に示し、図３（Ｂ）には、本実施形態に係るＭＴＦ特性補償処理を示している。
【００４８】
従来例の技術では（図３（Ａ））、原稿画像の画像データを非可逆圧縮する前に、ＬＯＧ変換（Laplassian Of Gaussian変換）を行なうが、図示するように、たとえば６０％や７０％までしか補償をしていなかった。
【００４９】
これに対して、本実施形態に係るＭＴＦ特性補償処理部１２０は（図３（Ａ））、１００％まで完全にＭＴＦ特性を補償する。
【００５０】
このため、ＭＴＦ特性補償処理部１２０によるＭＴＦ特性補償処理では（図３（Ｂ））、従来技術でのＬＯＧ変換での場合と比べて（図３（Ａ））、原稿画像の高周波成分大きく増幅される。
【００５１】
なお、図３の詳しい説明は、後で行なう。
【００５２】
図４は、ＭＴＦ特性補償処理部１２０の詳細な構成を示すブロック図である。図４を参照して、ＭＴＦ特性補償処理部１２０が行なうＭＴＦ特性補償処理を説明する。なお、ここで説明する処理は、単なる一例である（図７参照）。
【００５３】
ＭＴＦ特性補償処理部１２０は、フーリエ変換（Fourier Transform）および逆フーリエ変換をして、空間周波数ごとに、原稿画像の各空間周波数の成分を強調したり、抑制したりして、補正する。
【００５４】
ＭＴＦ特性補償処理部１２０は、ＦＦＴ処理部１２１と、係数乗算部１２２と、フィルタ係数記憶部１２２ｍと、逆ＦＦＴ処理部１２３とを備え、これらの機能ブロックの機能を用いて自己の機能を奏する。
【００５５】
ＦＦＴ処理部１２１は、ＭＴＦ特性補償処理部１２０に入力された原稿画像に対して高速フーリエ変換（ＦＦＴ：Fast Fourier Transform）を施す。ここに、ＦＦＴ処理部１２１は、必ずしも高速フーリエ変換を用いなくとも、他の方法ないしアルゴリズムによってフーリエ変換を行なうものであってもよい。なお、後で説明する逆ＦＦＴ処理部１２１についても同様で、高速逆フーリエ変換を用いるものに限られることはない。
【００５６】
ＦＦＴ処理部１２１は、原稿画像にＦＦＴを行なうことで、原稿画像の空間周波数分布画像を生成する。この空間周波数分布画像には、原稿画像の空間周波数ことに、原稿画像におけるその周波数の強度を示すことで、原稿画像が記憶される。ただし、かかる空間周波数分布画像には、そのままでは、人間の視覚により、記憶された原稿画像を認識できない形式で原稿画像を記憶がされ、つまり、上述のように周波数ごとに強度を記憶するものであり、空間内の位置ごとに濃度等の強度を記憶しているものではない。
【００５７】
なお、後述のように、かかる空間周波数分布画像は、逆ＦＦＴ処理部１２３により逆ＦＦＴ変換が施された場合に、人間が視覚によって認識できる形式で原稿画像を示すものに戻される。
【００５８】
係数乗算部１２２は、ＦＦＴ処理部１２１により生成された、かかる空間周波数分布画像に修正を施す。
【００５９】
フィルタ係数記憶部１２２ｍは、原稿画像の空間周波数ごとに、その空間周波数での原稿画像の強度をどれだけ変化させるかを示す係数フィルタデータを保持し、具体的には、空間周波数ごとに、その空間周波数の強度に乗ずべき係数を記憶する。
【００６０】
ここで、各係数は、スキャナ装置１１のＭＴＦ特性における、当該係数に係る周波数成分に対して、当該成分を打ち消す大きさに完全に等しい大きさにされる。
【００６１】
係数乗算部１２２は、フィルタ係数記憶部１２２ｍに記憶されたかかる係数フィルタデータに基づいて、空間周波数分布画像に対して、空間周波数ごとに、当該空間周波数での強度にその空間周波数の係数を乗ずることにより、スキャナ装置１１のＭＴＦ特性による原稿画像の空間周波数ごとの、強度の歪みを、それぞれ、完全に補償する。
【００６２】
逆ＦＦＴ処理部１２３は、係数乗算部１２２により係数が乗ぜられることによりＭＴＦ特性が補償された後の空間周波数分布画像に対して逆ＦＦＴ変換を行なって、ＭＴＦ特性が補償された後の画像を、人間の視覚で直接認識できる形式で示す画像に変換する。
【００６３】
ＭＴＦ特性補償処理部１２０は、こうして逆ＦＦＴ処理部１２３により逆ＦＦＴ変換がされて形式が戻された後の画像を、ＭＴＦ特性が補償された原稿画像として出力する（図２参照）。
【００６４】
ここで、スキャナ装置１１は、たとえば、網点が潰れてしまうなど、網点のように、短い距離での急激な濃度変化、つまり、高い空間周波数の濃度変化ほど、読み取った画像では、再現することができず、強度レベルが低下する。
【００６５】
ＭＴＦ特性補償処理部１２０は、かかる強度の変化を、１００％補償する。係数乗算部１２２が記憶する上述の係数フィルタデータの各係数は、上述のように、空間周波数ごとに、このような、強度レベルの変化を１００％打ち消して、補償することができる値にされる。したがって、たとえば、ＭＴＦ特性により、ある空間周波数で、強度がｋ倍になるならば、その空間周波数の上述の係数は、１／ｋにされ、そのようなｋ倍の変化がこのＭＴＦ特性補償処理でちょうど打ち消されるようにされる。
【００６６】
図２に戻って、分離領域信号生成部１２０ａは、原稿画像のうちで、画像処理部１４２が他の領域とは区分して、別途画像処理すべき特徴領域を特定する信号（以下、分離領域信号）を生成する。分離領域信号生成部１２０ａは、ＭＴＦ特性補償処理部１２０によって補償処理が施される前で、かつ、シェーディング処理部１１０によりシェーディング処理がされた後の原稿画像に基づいて、その原稿画像に表れた当該特徴領域を検出して、原稿画像における当該特徴領域の位置を特定する信号を生成し、これを分離領域信号として、一時保存処理部１３０へ出力する。
【００６７】
特徴領域とは、具体的には、一例としては、原稿画像に含まれる、網点領域や、文字領域が含まれる。
【００６８】
分離領域信号生成部１２０ａは、たとえば、網点が有する、ごく小さな面積での、鋭い濃度の立ち上がりを検出して、網点領域を検出し、また、文字が有する、縦書き、横書きなどのその縦又は横の方向に応じた特徴的な模様や、かな５０音などの文字が有する特有のパタンを検出することにより、文字領域を検出する。
【００６９】
分離領域信号生成部１２０ａは、網点や文字の輪郭における濃度の急な変化を、いわゆる微分フィルタにより検出することによって、網点領域や文字領域を検出するものとしてもよく、ここに微分フィルタとしては、一次微分フィルタが用いられてもよいし、二次微分フィルタが用いられてもよい。
【００７０】
なお、分離領域信号は、ここでは、「信号」であるものとして説明したが、かかる信号が示す情報と同内容の情報を記憶したいわゆるデータであるものとしてもよく、「信号」であるか「データ」であるかには特に制限はなく、その情報が示されるものであればよい。
【００７１】
次に、一時保存処理部１３０について説明する。
【００７２】
非可逆データ圧縮処理部１３１は、ＭＴＦ特性補償処理部１２０によりＭＴＦ特性補償処理がされた後の原稿画像を取得して、これに対して、たとえばＪＰＥＧ（Joint Photographic Experts Group）などの非可逆圧縮を行なって、そのデータサイズを小さくさせる。この圧縮は、非可逆圧縮であるので、可逆圧縮と比べて、圧縮後のデータサイズはより小さくなるが、もともとの画像に含まれた情報の少なくとも一部は、圧縮後には失われ、圧縮された画像データから、元の画像データに逆方向の変換（伸張）をしたときには、圧縮前の画像データよりも画質が劣化している。
【００７３】
可逆データ圧縮処理部１３１ａは、分離領域信号生成部１２０ａにより生成された分離領域信号を取得して、取得された分離領域信号に対して、たとえばＭＭＲ（Modified Modified READ）などの、可逆圧縮を行なう。この圧縮は、可逆圧縮であるので、データサイズは、非可逆圧縮の場合をする場合よりも大きくなるが、圧縮前の画像データの情報は、圧縮後の画像データに全て含まれ、圧縮されたデータから、もともとの画像データを完全に復元することができる。
【００７４】
復元済み画像保存部１３２および復元済み画像保存部１３２は、それぞれ、非可逆データ圧縮処理部１３１により非可逆圧縮がされた画像データと、可逆データ圧縮処理部１３１ａによって可逆圧縮がされた分離領域信号との保存を行ない、つまり、これら画像データおよび信号を、制御部１００が有するハードディスク等によって実現される記憶部ＨＤＤ（図２）へと記憶させる。
【００７５】
非可逆データ伸張処理部１３３は、復元済み画像保存部１３２が記憶する、非可逆データ圧縮処理部１３１により非可逆圧縮された原稿画像を取得し、取得された原稿画像を伸張する。
【００７６】
可逆データ伸張処理部１３３ａは、領域信号保存部１３２ａが記憶する、可逆データ圧縮処理部１３１ａにより可逆圧縮がされた分離領域信号を取得し、取得された分離領域信号を伸張する。
【００７７】
なお、ここに、非可逆データ伸張処理部１３３および可逆データ伸張処理部１３３ａによって行なわれる「伸張」は、別の呼び方では、「解凍」、「展開」、「減圧」などと呼ばれるものである。ここでは、「伸張」と呼ぶこととする。
【００７８】
非可逆データ圧縮処理部１３１および可逆データ圧縮処理部１３１ａが行なう圧縮処理は、たとえば、もともとの画像データないし分離領域信号を、一定ブロックごとに、そのブロックの内容に対応する可変長の符号に置き換えることにより、もともとの画像データ等全体を複数の符号よりなる符号列へ変換する、いわゆる符号化（encode）を行なうものであってもよい。
【００７９】
また、非可逆データ伸張処理部１３３および可逆データ伸張処理部１３３ａが行なう伸張の処理は、それぞれ、たとえば、このような符号化されたデータに対して、符号列に含まれる各符号を、その符号に対応するもともとのブロックのデータへ変換する、いわゆる復号化(decode)によってされるものとしてもよい。
【００８０】
次に、印刷実行部１４０の機能について説明する。
【００８１】
画像処理部１４２は、非可逆データ伸張処理部１３３により伸張された原稿画像に対して画像処理を施す。画像処理部１４２は、可逆データ伸張処理部１３３ａによって伸張された分離領域信号に応じて、この処理を行なうことができる。
【００８２】
以下、画像処理部１４２が行なうこの画像処理は、具体的には、一例として、原稿画像に含まれる網点を平滑化する網点平滑化処理が含まれる。
【００８３】
画像処理部１４２は、非可逆データ伸張処理部１３３により伸張された原稿画像に対して網点平滑化処理を行なうことにより、原稿画像に含まれる網点の画像に含まれる、いわゆるモアレを減少させる。モアレとは、網点の周期性と、スキャナ装置１１により濃度が読み取られる画素の周期性とのために生じる濃度干渉の縞模様である。
【００８４】
図５は、画像処理部１４２が行なう網点平滑化処理を示す図である。
【００８５】
図５では、横軸には、原稿画像における原稿平面上の位置をとると共に、縦軸には、各位置での濃度レベルをとっている。
【００８６】
図５に示す実線のデータ（実線の曲線）は、画像処理部１４２により平滑化処理がされる前の原稿画像における網点の濃度を示している。他方、破線のデータ（太い曲線）は、平滑化処理がされた後の網点のデータを示している。平滑化処理がされた後の後者のデータ（破線）は、平滑化処理がされる前の前者のデータ（実線）に対して、網点が構成する濃度の山の鋭さがなくなっており、濃度の変化が少なくなり、各位置の濃度がその位置の近傍の位置での濃度に似通ったものとなり、濃度が平滑化されている。
【００８７】
図５中に示した左右２つの黒丸Ｎ１，Ｎ２は、平滑化処理前の原稿画像の濃度のデータ（実線）の上にあり、平滑化処理前の原稿画像の２つの位置での濃度を示したものである。右側の黒丸Ｎ１は、網点の頂上付近の位置での濃度であり、左側の黒丸Ｎ２は頂上からやや裾野当たりへ降りた位置での濃度である。
【００８８】
そして、図５中のこれらの黒丸Ｎ１，Ｎ２からそれぞれ下方向および上方向へそれぞれ伸ばされた各矢印は、各黒丸Ｎ１，Ｎ２の濃度に対して画像処理部１４２が施す濃度の修正量を示している。このため、黒丸Ｎ１，Ｎ２の各矢印は、黒丸Ｎ１，Ｎ２から、各黒丸Ｎ１，Ｎ２が示す原稿画像上の位置（図５の横軸）における、網点平滑化処理がされた後の原稿画像の濃度Ｎ１ｘ，Ｎ２ｘまでそれぞれ伸ばされている。
【００８９】
画像処理部１４２は、黒丸Ｎ１，Ｎ２が示す各位置について、その位置を中心とした一定範囲、図５で左右方向に伸びる両方向への矢印Ｎ１ａ，Ｎ２ａにより図示している一定範囲について、濃度の平均値を求めて、求められた平均の濃度を、それぞれの位置での修正後の濃度Ｎ１ｘ，Ｎ２ｘとする。ここで、範囲Ｎ１ａおよびＮ２ａは同じ長さの範囲であるものとする。ただし、かかる場合に限定されることはない。
【００９０】
このため、図５右側の黒丸Ｎ１の位置での修正量（黒丸Ｎ１の矢印）は、その位置が網点の頂上部であり、その近傍の一定範囲Ｎ１ａでは、頂上部よりも全ての箇所で濃度が低いので、かかる低い濃度の影響により範囲Ｎ１ａでの濃度の平均が下がることにより、修正量を示す矢印が下向きとなって、修正量は負の値となる。
【００９１】
これに対して、他方の左側の黒丸Ｎ２の位置では、逆に、その黒丸Ｎ２が示す位置を中心とした一定範囲Ｎ２ａでは、その位置よりも濃度が高いところが多く、つまり黒丸Ｎ２より左側（網点の頂上部から離れる側）での黒丸Ｎ２の位置より濃度が低いところでは、低くなる程度が小さいところばかりで黒丸Ｎ２の位置での濃度とあまり変わらないのに対して、黒丸Ｎ２の位置よりも右側（頂上部に近い側）では殆どの場所で黒丸Ｎ２の位置での濃度よりもかなり高い濃度のところばかりであり、この結果、両者を平均すると、修正量を示す矢印（黒丸Ｎ２ａの矢印）は上向きになり、つまり濃度の修正量が正の値となる。
【００９２】
こうして、画像処理部１４２により網点平滑化がされることで、各位置の濃度は、その位置近傍の濃度と平均されたものとなり、それぞれその位置近傍の濃度と似通った濃度へ変化される。
【００９３】
画像処理部１４２は、こうして、原稿画像の各位置で、各位置の濃度を、その位置の近傍の一定範囲の平均の濃度に変更することにより、原稿画像の平滑化を行なう。
【００９４】
なお、かかる画像処理部１４２は、原稿画像に対して、いわゆる積分フィルタとして機能することで、かかる平滑化を行なうものであってもよい。
【００９５】
こうして、平滑化処理前のデータでは（実線のデータ）、たとえば黒丸Ｎ１，Ｎ２の位置が横軸方向にズレると、少しのズレで大きく濃度が変化していたのが、平滑化処理後のデータでは（破線のデータ）、あまり変化しないものとなり、その分だけ、上述した位置の周期性による濃度干渉も少ないようにでき、モアレを低減することができる。
【００９６】
画像処理部１４２は、かかる処理を、非可逆データ伸張処理部１３３により伸張された原稿画像のうちで、可逆データ伸張処理部１３３ａにより伸張された分離領域信号が示す、当該原稿画像の上述した特徴領域のみに対して行なう。つまり、画像処理部１４２は、原稿画像のうちで、分離領域信号により示される領域以外の領域のデータは変更しないものとする。
【００９７】
印刷制御部１４３は、画像処理部１４２により画像処理がされた後の原稿画像を、画像形成機構１３によって記録紙Ｐに印刷させる（図１参照）。
【００９８】
印刷実行制御部１５０は（図２）、これら非可逆データ伸張処理部１３３、可逆データ伸張処理部１３３ａ、画像処理部１４２、印刷制御部１４３、つまり印刷実行部１４０の機能を起動させ、たとえば、ユーザから印刷実行の指示が複写機１に入力された場合に、復元済み画像保存部１３２および領域信号保存部１３２ａに記憶された原稿画像および分離領域信号の印刷を、印刷実行部１４０に実行開始させる。印刷実行制御部１５０は、復元済み画像保存部１３２および領域信号保存部１３２ａに記憶された原稿画像および分離領域信号をそれぞれ印刷実行部１４０の非可逆データ伸張処理部１３３および可逆データ伸張処理部１３３ａに取得させて、取得させたデータおよび信号に基づいた印刷を印刷実行部１４０に実行させる。
【００９９】
図６は、複写機１が印刷を行なう処理のフローチャートである。
【０１００】
ステップＳ１では、原稿がスキャナ装置１１にセットされて、セットされた原稿に表された原稿画像がスキャナ装置１１に読み取られる。
【０１０１】
ステップＳ２では、制御部１００が、ステップＳ１でスキャナ装置１１に読み取られた原稿画像に基づいて、原稿画像を復元済み画像保存部１３２に記憶し、分離領域信号を領域信号保存部１３２ａに記憶する処理を行なう。
【０１０２】
ステップＳ２ａでは、シェーディング処理部１１０が、ステップＳ１でスキャナ装置１１に読み取られた原稿画像にシェーディング補正を行なう。
【０１０３】
ステップＳ２ｂでは、分離領域信号生成部１２０ａが、ステップＳ２ａでシェーディング処理部１１０によりシェーディング補正がされた原稿画像、つまり、ステップＳ２ｂでのＭＴＦ特性補償処理部１２０により処理がかけられていない原稿画像に基づいて、当該原稿画像の分離領域信号を生成する。
【０１０４】
ステップＳ２ｂでは、他方で、ＭＴＦ特性補償処理部１２０が、同じくステップＳ２ａでシェーディング処理部１１０によりシェーディング補正がされた原稿画像に対して、ＭＴＦ特性補償処理を行なう。
【０１０５】
なお、ステップＳ２ｃで、分離領域信号生成部１２０ａは、ステップＳ２ｂにおけるＭＴＦ特性補償処理部１２０による処理と並行して、同時に、この分離領域信号を生成する処理の少なくとも一部を実行するものとしてもよい。
【０１０６】
ステップＳ３では、一時保存処理部１３０が、先のステップＳ２の処理の結果、得られる原稿画像および分離領域信号を保存する。
【０１０７】
ステップＳ３ａでは、非可逆データ圧縮処理部１３１が、ステップＳ２ｂでＭＴＦ特性補償処理部１２０によりＭＴＦ特性補償処理がされた原稿画像に非可逆圧縮を施し、また、復元済み画像保存部１３２が、この非可逆圧縮がされた後の原稿画像を保存し、つまり、ハードディスク等の記憶部にその非可逆圧縮がされた原稿画像を記憶させる。
【０１０８】
ステップＳ３ｂでは、可逆データ圧縮処理部１３１ａが、ステップＳ２ｃで分離領域信号生成部１２０ａにより生成された分離領域信号に可逆圧縮を施し、また、領域信号保存部１３２ａが、この可逆圧縮がされた後の分離領域信号を保存し、つまり、ハードディスク等の記憶部に可逆圧縮がされた分離領域信号を記憶させる。
【０１０９】
ステップＳ４では、印刷実行制御部１５０が、先にステップＳ３で復元済み画像保存部１３２および領域信号保存部１３２ａにより保存がされた原稿画像および分離領域信号に基づく印刷を実行するか否かを判定する。印刷実行制御部１５０は、たとえば、ユーザから印刷を実行する指示が複写機１に入力された場合に、印刷を実行する判定を行なう（ステップＳ４：Ｙｅｓ）。なお、印刷実行制御部１５０は、先にステップＳ３で復元済み画像保存部１３２および領域信号保存部１３２ａにより原稿画像および分離領域信号の保存がされた直後には、即座に、ユーザからの指示に拘わらず、保存がされた原稿画像等に基づく印刷を実行させる判定を行ない（ステップＳ４：Ｙｅｓ、ステップＳ５）、その後は、上述したユーザからの指示がある度に、繰り返し、印刷を実行させるものとしてもよい（ステップＳ４：Ｙｅｓ、ステップＳ５）。
【０１１０】
印刷実行制御部１５０は、複写機１の電源が切られた場合や、先にステップＳ３で復元済み画像保存部１３２および領域信号保存部１３２ａにより保存がされた原稿画像および分離領域信号の印刷を行なわないことの指示がユーザから複写機１にされた場合などに、ステップＳ４でＮｏを判定し、図６の処理を終了させる（ステップＳ４：Ｎｏ）。
【０１１１】
ステップＳ５では、印刷実行部１４０が、先にステップＳ３で復元済み画像保存部１３２および領域信号保存部１３２ａにより保存がされた原稿画像および分離領域信号の印刷を実行する。
【０１１２】
ステップＳ５ａでは、非可逆データ伸張処理部１３３が、ステップＳ３ａで復元済み画像保存部１３２により記憶部に保存された原稿画像を取得し、取得した原稿画像を伸張する。
【０１１３】
ステップＳ５ｂでは、可逆データ伸張処理部１３３ａが、ステップＳ３ｂで領域信号保存部１３２ａにより記憶部に保存された分離領域信号を取得し、取得した分離領域信号を伸張する。なお、ここで、可逆データ伸張処理部１３３ａは、先にステップＳ５ａで非可逆データ伸張処理部１３３が伸張をした原稿画像の分離領域信号を記憶部から取得して、伸張を行なうものとする。
【０１１４】
ステップＳ５ｃでは、画像処理部１４２が、ステップＳ５ａで非可逆データ伸張処理部１３３によって伸張された原稿画像に対して、ステップＳ５ｂで可逆データ伸張処理部１３３ａにより伸張された分離領域信号を参照しつつ、画像処理を施す。
【０１１５】
ステップＳ５ｄでは、印刷制御部１４３が、ステップＳ４ｃで画像処理部１４２により画像処理がされた原稿画像に基づいて、その原稿画像を画像形成機構１３により記録紙へ印刷させる。
【０１１６】
最後に、このように複写機１を構成した場合の効果を、図３を参照して説明する。
【０１１７】
このような複写機１であれば、原稿画像が非可逆圧縮される前に、１００％まで完全にＭＴＦ特性の補償が原稿画像に対して行なわれ（図３（Ｂ））、中途半端にしか補償がされていない従来例の技術（図３（Ａ））の場合と比べて、原稿画像の高周波成分が予め十分に強調される。
【０１１８】
このため、原稿画像が非可逆圧縮されるときに（図２の非可逆データ圧縮処理部１３１、および図６のステップＳ３ａの説明を参照）、非可逆圧縮による高周波成分の損失が少なくなるようにでき、保存される画像の画質が低くなることを抑制し、伸張後に高い画質の画像を用いることができ（図２の印刷実行部１４０および、図６のステップＳ５参照）。たとえば、エッジの劣化がない高画質の画像を用いることができる。
【０１１９】
また、従来例の技術を用いると（図３（Ａ））、原稿画像に非可逆圧縮がされる前に、中途半端に、たとえば６０％や、あるいは７０％などまでしか補償をしないので、原稿画像を伸張した後に、図３（Ａ）のハッチングを付した矢印に示すように、たとえば６０％や７０％から更に補償度合いを向上させてやる必要が生じるなど、伸張後の原稿画像に更に高周波成分を強調する処理をしてやる必要が生じることとなる。
【０１２０】
これに対して、本実施形態の複写機１では、予め非可逆圧縮がされる前にＭＴＦ特性が完全に補償されて、十分に高周波成分が強調されていることで（図３（Ｂ））、画像データにモスキートノイズが混入した後（図２の非可逆データ圧縮処理部１３１および図６のステップＳ３ａ参照）、画像データを伸張したときに（図２の非可逆データ伸張処理部１３３および図６のステップＳ５ａ参照）、図６のステップＳ５ｃにおいて画像処理部１４２は、後から更に高周波成分を強調してやる必要が少なくなる。つまり、エッジや網点の強調などで高周波成分を強調する度合いを小さくできたり、かかる強調そのものが必要がなくなったり、あるいは、ＭＴＦ特性の補償度合いを高めてやる必要がなくなったりして、モスキートノイズが強調されないようにできる。
【０１２１】
つまり、画像処理部１４２は、ステップＳ５ｃで、単に高周波成分を抑制したり、あるいは、高周波成分のレベルは変えないでいたりして、モスキートノイズを強調してしまうことなく、ステップＳ５ｄにおける印刷制御部１４３による印刷で、多様な高周波成分のレベルでの印刷をでき、モスキートノイズの強調を起こしてしまうことなく印刷制御部１４３での印刷を多様な印刷設定でできる。
【０１２２】
なお、ＭＴＦ特性補償処理部１２０は、特許請求の範囲に記載した「画像復元手段」の一例である。また、分離領域信号生成部１２０ａは、特許請求の範囲に記載した「分離領域識別信号生成手段」の一例である。
【０１２３】
非可逆データ圧縮処理部１３１は、特許請求の範囲に記載した「（第一の）圧縮手段」の一例である。可逆データ圧縮処理部１３１ａは、特許請求の範囲に記載した「第二の圧縮手段」の一例である。復元済み画像保存部１３２は、特許請求の範囲に記載した「（第一の）保存手段」の一例である。領域信号保存部１３２ａは、特許請求の範囲に記載した「第二の保存手段」の一例である。非可逆データ伸張処理部１３３は、特許請求の範囲に記載した「圧縮データ伸張手段」の一例である。可逆データ伸張処理部１３３ａは、特許請求の範囲に記載した「圧縮信号伸張手段」の一例である。
【０１２４】
印刷実行部１４０または、印刷実行部１４０が備える画像処理部１４２は、特許請求の範囲に記載した「画像処理手段」の一例であり、また、「特徴領域処理手段」の一例でもある。
【０１２５】
プログラム内蔵方式等により制御部１００を実現した場合には、制御部１００ないしかかる制御部１００を備える複写機１は、特許請求の範囲の記載における「コンピュータ」の一例であり、かかる制御部１００に上述した各機能ブロックの機能を実現させ、制御部１００のＲＯＭに記憶される等したコンピュータプログラムが、特許請求の範囲の記載における「コンピュータプログラム」の一例となる。
【０１２６】
以下、他の実施形態について説明する。
【０１２７】
（Ａ）ＭＴＦ特性補償処理部１２０は、次のような構成を備え、これらの構成によって、ＭＴＦ特性補償処理（図３の説明を参照）を行なうものとしてもよい。
【０１２８】
図７は、ＭＴＦ特性補償処理部（ＬＯＧフィルタ処理部、Laplassian Of Gaussianフィルタ処理部）９２０の構成を示す機能ブロック図である。このＭＴＦ特性補償処理部９２０を、図２に先に示したＭＴＦ特性補償処理部１２０に代えて用いることができる。
【０１２９】
この、図７に示すＭＴＦ特性補償処理部９２０は、特許請求の範囲に記載した「画像復元手段」の一例である。
【０１３０】
ＭＴＦ特性補償処理部９２０は、ガウシアンフィルタ処理部９２１と、差分演算部９２２と、係数乗算部９２３と、合成部９２４とを備える。
【０１３１】
ガウシアンフィルタ処理部９２１は、シェーディング処理部１１０からこのＭＴＦ処理部９２０に入力された原稿画像に対してガウシアンフィルタをかけ、つまり、原稿画像に対してガウス分布のデータを畳み込む畳み込み演算を行なう。
【０１３２】
差分演算部９２２は、ガウシアンフィルタ処理部９２１によりガウシアンフィルタがかけられた原稿画像と、ガウシアンフィルタ処理部９２１によりガウシアンフィルタがかけられる前の、ＭＴＦ特性補償処理部９２０に入力された元々の原稿画像との差分を求める。
【０１３３】
差分演算部９２２によるかかる差分処理によって生成される画像（以下、差分画像）は、原稿画像の各周波数成分のうちで主に高周波成分を取り出した画像となる。
【０１３４】
係数乗算部９２３は、かかる差分画像の濃度に予め定められた係数を乗じて、差分画像の濃度をその係数倍させる。なお、係数は、１より小さく、濃度を低下させるものでもよいし、逆に１より大きく、濃度を高めさせるものでもよい。
【０１３５】
合成部９２４は、係数乗算部９２３によって濃度が上述の係数倍された後の差分画像を、ＭＴＦ特性補償処理部９２０に入力されたばかりの元々の原稿画像に加える画像合成処理を行なう。つまり、合成部９２４は、元々の原稿画像の各部の濃度を、差分画像の当該部分に対応する部分の濃度だけ増加させる。
【０１３６】
ＭＴＦ特性補償処理部９２０は、こうして、合成部９２４によって画像合成処理がされた後の原稿画像を一時保存処理部１３０（図２）に出力する。
【０１３７】
かかるＭＴＦ特性補償処理部９２０が出力する原稿画像は、当該原稿画像に含まれる差分画像の分の濃度を、係数乗算部９２３が用いる係数を調節することにより変えることができ、つまり、係数を調節すれば、出力される原稿画像に含まれる高周波成分を変化させることができる。
【０１３８】
係数乗算部９２３が用いるこの係数は、この高周波成分の変化により、スキャナ装置１１のＭＴＦ特性が１００％補償されるものとされる。係数乗算部９２３には、かかる値の係数が予め設定されている。
【０１３９】
ＭＴＦ特性補償処理部９２０は、係数乗算部９２３にかかる適切な値の係数が設定されていることで、かかる係数を用いて上述のように原稿画像を処理することにより、スキャナ装置１１のＭＴＦ特性を１００％補償する。
【０１４０】
（Ｂ）上記画像処理部１４２は、予め完全にＭＴＦ特性が補償されてしまっている原稿画像を（図６のステップＳ３ａ参照）、保存された原稿画像を伸張した後に、ステップＳ５ｃにおいて、たとえば６０％や７０の補償度合いなど、ＭＴＦ特性が完全には補償されていない目標補償状態まで補償の度合いを下げてやるものとしてもよい。このときには、画像処理部１４２は、図４を用いて説明したのと同様の処理で、かかる補償の度合いを下げる処理をできる。ただし、このときには、上述した「係数」は、高周波成分の係数については、１以下にして、高周波成分を抑制できるようにする。
【０１４１】
こうすれば、印刷制御部１４３は、かかる低い補償度合いにされた原稿画像に基づいて印刷をできる。これにより、伸張までは、原稿画像に対して完全な補償をしておくことで、非可逆圧縮時の画質の劣化を避けるようにしつつ、低い補償度合いでの印刷をでき、しかも、予め完全にまで原稿画像のＭＴＦ特性が補償されており、モスキートノイズを強調してしまう恐れがある補償度合いを上げることでなく、単に補償度合いを下げるだけでモスキートノイズを強調してしまうことなく、目標補償状態の画像データを得ることができる。
【０１４２】
（Ｃ）分離領域信号生成部１２０ａは、ＭＴＦ特性補償処理部１２０によりＭＴＦ特性補償処理がされる前の原稿画像に基づいて（図６のステップＳ２ｂ、Ｓ２ｃ参照）、分離領域信号を生成するものとして説明したが、かかる場合に限定されず、ＭＴＦ特性補償処理部１２０によりＭＴＦ特性補償処理がされた後の原稿画像に基づいて分離領域信号を生成してもよい（図２の二点差線を参照）。
【０１４３】
（Ｄ）図２に示した、分離領域信号生成部１２０ａ、可逆データ圧縮処理部１３１ａ、領域信号保存部１３２ａ、可逆データ伸張処理部１３３ａは、必ずしも設けることが必須ではなく、図６の処理で、これらの機能ブロックの機能による処理は行なわないものとしてもよい。
【０１４４】
（Ｅ）前述の通り、分離領域信号生成部１２０ａが生成する分離領域信号が特定する特徴領域は、網点領域ではなく、文字領域でもよく、この場合、画像処理部１４２は、ステップＳ４ｃで、図５で説明した網点平滑化処理ではなく、原稿画像の文字領域に対する文字強調処理を行なうものとしてもよい。この場合も、画像処理部１４２は、原稿画像のデータのうちで、分離領域信号が示す特徴領域（文字領域）のデータのみを変更し、他の領域のデータは変更しないものとしてよい。
【０１４５】
（Ｆ）分離領域信号生成部１２０ａは、ＭＴＦ特性補償処理部１０２によるＭＴＦ特性の補償（図６のステップＳ２ｃ参照）がされる前と、された後との両者の原稿画像に基づいて、分離領域信号を生成するものとしてもよい（図６のステップＳ２ｂ参照）。こうすれば、ＭＴＦ特性の補償による原稿画像の改変で失われることの影響を受けずに、かつ、ＭＴＦ特性の補償により初めて明瞭となる原稿画像の性質を加味して、精度のよい分離領域信号を生成することができる。
【図面の簡単な説明】
【０１４６】
【図１】本発明の一実施形態に係る複写機を概略的に示す図である。
【図２】制御部が実現する機能を示す機能ブロック図である。
【図３】ＭＴＦ特性補償処理部によるＭＴＦ特性補償処理を示す図である。
【図４】ＭＴＦ特性補償処理部の詳細な構成を示すブロック図である。
【図５】画像処理部が行なう網点平滑化処理を示す図である。
【図６】複写機が印刷を行なう処理のフローチャートである。
【図７】ＭＴＦ特性補償処理部（ＬＯＧフィルタ処理部）の構成を示す機能ブロック図である。
【符号の説明】
【０１４７】
Ｐ  記録紙
１  複写機（画像処理装置）
１１  スキャナ装置（原稿読取手段）
１２  搬送経路
１３  画像形成機構
１００  制御部（コンピュータ）
１１０  シェーディング処理部
１２０  ＭＴＦ特性補償処理部（画像復元手段）
１２０ａ  分離領域信号生成部（分離領域識別信号生成手段）
１２１  ＦＦＴ処理部
１２２  係数乗算部
１２２ｍ  フィルタ係数記憶部
１２３  逆ＦＦＴ処理部
１３０  一時保存処理部
１３１  非可逆データ圧縮処理部（（第一の）圧縮手段）
１３１ａ  可逆データ圧縮処理部（第二の圧縮手段）
１３２  復元済み画像保存部（（第一の）保存手段）
１３２ａ  領域信号保存部（第二の保存手段）
１３３  非可逆データ伸張処理部（圧縮データ伸張手段）
１３３ａ  可逆データ伸張処理部（圧縮信号伸張手段）
１４０  印刷実行部（画像処理手段、特徴領域処理手段）
１４２  画像処理部
１４３  印刷制御部
１５０  印刷実行制御部
９２０  ＭＴＦ特性補償処理部（画像復元手段）
９２１  ガウシアンフィルタ処理部
９２２  差分演算部
９２３  係数乗算部
９２４  合成部
【図１】
2008187644.tif 000003
【図２】
2008187644.tif 000004
【図３】
2008187644.tif 000005
【図４】
2008187644.tif 000006
【図５】
2008187644.tif 000007
【図６】
2008187644.tif 000008
【図７】
2008187644.tif 000009